【事件の表示】
　特願２００２−　　７２５４「変調装置および方法、記録媒体、並びにプログラム」拒絶査定不服審判事件〔平成１５年　７月２５日出願公開、特開２００３−２０８７６４〕について、次のとおり審決する。
【結　論】
　本件審判の請求は、成り立たない。
【理　由】
第１　手続の経緯
　
　本願は、平成１４年１月１６日に出願したものであって、平成１７年８月１日付けの拒絶理由通知に対する応答期間内の同年９月３０日付けで手続補正がなされたが、平成１８年２月７日付けで拒絶査定がなされ、これに対し、平成１８年３月１３日に拒絶査定不服審判が請求されるとともに、同年４月１２日付けで手続補正がなされたものである。
　
第２　平成１８年４月１２日付けの手続補正についての補正却下の決定
　
［補正却下の決定の結論］
　平成１８年４月１２日付けの手続補正を却下する。
　
［理由］
１．本件補正
　平成１８年４月１２日付け手続補正（以下「本件補正」という。）は、明細書の特許請求の範囲については、補正前に、
「【請求項１】　基本データ長がｍビットのデータを、基本符号長がｎビットの可変長符号（ｄ，ｋ；ｍ，ｎ；ｒ）に変換する変調装置において、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換手段と、
　前記変換テーブルの変換コードに含まれる、最小ランｄの連続を所定の回数以下に制限する最小ラン連続制限コードを、前記入力されたデータから検出する最小ラン連続制限コード検出手段と、
　前記最小ラン連続制限コード検出手段による検出結果に基づいて、前記変換手段により変換された前記符号語列の前記最小ラン連続制限コードに対応する部分を、前記最小ランの連続を所定の回数以下に制限する所定の符号語に置き換える連続最小ラン置換手段と
　を備えることを特徴とする変調装置。
　【請求項２】　前記変換手段は、前記入力されたデータから前記変換テーブルに含まれる所定のパターンを、拘束長が「１」の場合のパターンから順に拘束長毎に検索し、前記検索結果に基づいて前記入力されたデータを符号語に変換する
　ことを特徴とする請求項１に記載の変調装置。
　【請求項３】　前記変換手段は、拘束長が「１」乃至「３」の場合において変換されなかったデータに対して、さらに、前記変換テーブルに含まれる拘束長が「４」のパターンを検索し、前記検索の結果に基づいて前記入力されたデータを符号語に変換する
　ことを特徴とする請求項２に記載の変調装置。
　【請求項４】　前記連続最小ラン置換手段により前記最小ランの連続が所定の回数以下に制限された前記符号語列の任意の位置に、前記変換テーブルの変換コードとして存在しないユニークなパターンを含む同期信号を挿入する同期信号挿入手段と、
　前記同期信号挿入手段により前記同期信号が挿入された前記符号語列をNRZI変換し、記録符号列を作成するNRZI変換手段と
　をさらに備えることを特徴とする請求項１に記載の変調装置。
　【請求項５】　前記変換手段は、
　ｄ＝１、ｋ＝７、ｍ＝２、ｎ＝３の基礎コードを有する前記変換テーブルの変換コードに含まれる所定のパターンを、前記入力されたデータから検出する変換コード検出手段と、　前記変換テーブルの変換コードに含まれる、符号を任意の位置において終端させるための終端コードを、前記入力されたデータから検出する終端コード検出手段と、
　前記変換テーブルの変換コードに含まれ、直前または直後の符号語が「１」のとき「０」となり、「０」のとき「１」となる記号を＊とするとき、「０００」または「１０１」となる符号「＊０＊」を有する不確定符号を含む不確定コードを、前記入力されたデータから検出する不確定コード検出手段と、
　前記不確定コード検出手段により検出された前記不確定コードに含まれる前記不確定符号の＊に対応する符号を決定する不確定ビット決定手段と、
　前記変換コード検出手段、前記終端コード検出手段、および前記不確定コード検出手段の検出結果、並びに、前記不確定ビット決定手段による符号の決定結果に基づいて、利用する前記変換テーブルの前記変換コードを決定する変換パターン決定手段と
　を備えることを特徴とする請求項１に記載の変調装置。　
　【請求項６】　前記終端コード検出手段は、
　終端位置を特定するための情報を供給する終端位置カウンタを有し、
　前記入力されたデータから前記変換テーブルの変換コードに含まれる所定のパターンを検出し、前記終端位置カウンタにより供給される情報が終端位置を示すことにより、前記終端コードを検出したと判定する
　ことを特徴とする請求項５に記載の変調装置。
　【請求項７】　前記連続最小ラン置換手段により前記最小ランの連続が所定の回数以下に制限された前記符号語列の任意の位置に、前記変換テーブルの変換コードとして存在しないユニークなパターンを含む同期信号を挿入する同期信号挿入手段と、
　前記同期信号挿入手段により前記同期信号が挿入された前記符号語列をNRZI変換し、記録符号列を作成するNRZI変換手段と、
　をさらに備えることを特徴とする請求項５に記載の変調装置。
　【請求項８】　前記不確定コード検出手段は、前記変換パターン決定手段により決定された前記変換パターンの最終ビットの情報、および、前記同期信号挿入手段により挿入された前記同期信号のパターンの最終ビットの情報を取得し、
　前記不確定ビット決定手段は、前記不確定コード検出手段が取得した前記変換パターンの最終ビットの情報、および前記同期信号のパターンの最終ビットの情報に基づいて、前記不確定符号の＊に対応する符号を決定する
　ことを特徴とする請求項７に記載の変調装置。
　【請求項９】　前記変換パターン決定手段は、前記終端コードに基づいて、前記入力されたデータ列を変換する前記変換パターンを決定したか否かを判定し、
　前記同期信号挿入手段は、前記変換パターン決定手段による判定結果に基づいて、所定の処理が行われた前記同期信号を前記符号語列の任意の位置に挿入する
　ことを特徴とする請求項７に記載の変調装置。
　【請求項１０】　前記所定の処理において、前記同期信号の先頭ビットは、
　前記終端コードに基づいて前記変換パターンを決定したと前記変換パターン決定手段が判定した場合、「１」に設定され、
　前記終端コードに基づいて前記変換パターンを決定していないと前記変換パターン決定手段が判定した場合、「０」に設定される
　ことを特徴とする請求項９に記載の変調装置。
　【請求項１１】　基本データ長がｍビットのデータを、基本符号長がｎビットの可変長符号（ｄ，ｋ；ｍ，ｎ；ｒ）に変換する変調装置の変調方法において、
　データ列の要素内の「１」の個数を２で割った時の余りと、変換される符号語列の要素内の「１」の個数を２で割った時の余りが、どちらも１あるいは０で一致する様な変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、前記入力されたデータから検出する最小ラン連続制限コード検出ステップと、
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とする変調方法。
　【請求項１２】　前記変換ステップの処理は、前記入力されたデータから前記変換テーブルに含まれる所定のパターンを、拘束長が「１」の場合のパターンから順に拘束長毎に検索し、前記検索結果に基づいて前記入力されたデータを符号語に変換する
　ことを特徴とする請求項１１に既済の変調方法。
　【請求項１３】　前記変換ステップの処理は、拘束長が「１」乃至「３」の場合において変換されなかったデータに対して、さらに、前記変換テーブルに含まれる拘束長が「４」のパターンを検索し、前記検索の結果に基づいて前記入力されたデータを符号語に変換する
　ことを特徴とする請求項１２に記載の変調方法。
　【請求項１４】　前記連続最小ラン置換ステップの処理により前記最小ランの連続が所定の回数以下に制限された前記符号語列の任意の位置に、前記変換テーブルの変換コードとして存在しないユニークなパターンを含む同期信号を挿入する同期信号挿入ステップと、
　前記同期信号挿入ステップの処理により前記同期信号が挿入された前記符号語列をNRZI変換し、記録符号列を作成するNRZI変換ステップと
　をさらに含むことを特徴とする請求項１１に記載の変調方法。
　【請求項１５】　前記変換ステップの処理は、
　ｄ＝１、ｋ＝７、ｍ＝２、ｎ＝３の基礎コードを有する前記変換テーブルの変換コードに含まれる所定のパターンを、前記入力されたデータから検出する変換コード検出ステップと、
　前記変換テーブルの変換コードに含まれる、符号を任意の位置において終端させるための終端コードを、前記入力されたデータから検出する終端コード検出ステップと、
　前記変換テーブルの変換コードに含まれ、直前または直後の符号語が「１」のとき「０」となり、「０」のとき「１」となる記号を＊とするとき、「０００」または「０００」または「１０１」となる符号「＊０＊」を有する不確定符号を含む不確定コードを、前記入力されたデータから検出する不確定コード検出ステップと、
　前記不確定コード検出ステップの処理により検出された前記不確定コードに含まれる前記不確定符号の＊に対応する符号を決定する不確定ビット決定ステップと、
　前記変換コード検出ステップ、前記終端コード検出ステップ、および前記不確定コード検出ステップの処理の検出結果、並びに、前記不確定ビット決定ステップの処理による符号の決定結果に基づいて、利用する前記変換テーブルの前記変換コードを決定する変換パターン決定ステップと
　を含むことを特徴とする請求項１１に記載の変調方法。　
　【請求項１６】　前記終端コード検出ステップの処理は、前記入力されたデータから前記変換テーブルの変換コードに含まれる所定のパターンを検出し、終端位置を特定するための情報を供給する終端位置カウンタにより供給される情報が終端位置を示すことにより、前記終端コードを検出したと判定する
　ことを特徴とする請求項１５に記載の変調方法。
　【請求項１７】　前記連続最小ラン置換ステップの処理により前記最小ランの連続が所定の回数以下に制限された前記符号語列の任意の位置に、前記変換テーブルの変換コードとして存在しないユニークなパターンを含む同期信号を挿入する同期信号挿入ステップと、
　前記同期信号挿入ステップの処理により前記同期信号が挿入された前記符号語列をNRZI変換し、記録符号列を作成するNRZI変換ステップと
　をさらに含むことを特徴とする請求項１５に記載の変調方法。
　【請求項１８】　前記不確定コード検出ステップの処理は、前記変換パターン決定ステップの処理により決定された前記変換パターンの最終ビットの情報、および、前記同期信号挿入ステップの処理により挿入された前記同期信号のパターンの最終ビットの情報の取得を制御し、
　前記不確定ビット決定ステップの処理は、前記不確定コード検出ステップの処理により取得が制御された前記変換パターンの最終ビットの情報、および前記同期信号のパターンの最終ビットの情報に基づいて、前記不確定符号の＊に対応する符号を決定する
　ことを特徴とする請求項１７に記載の変調方法。
　【請求項１９】　前記変換パターン決定ステップの処理は、前記終端コードに基づいて、前記入力されたデータ列を変換する前記変換パターンを決定したか否かを判定し、
　前記同期信号挿入ステップの処理は、前記変換パターン決定ステップの処理による判定結果に基づいて、所定の処理が行われた前記同期信号を前記符号語列の任意の位置に挿入する
　ことを特徴とする請求項１７に記載の変調方法。
　【請求項２０】　前記所定の処理において、前記同期信号の先頭ビットは、
　前記終端コードに基づいて前記変換パターンを決定したと前記変換パターン決定手段が判定した場合、「１」に設定され、
　前記終端コードに基づいて前記変換パターンを決定していないと前記変換パターン決定手段が判定した場合、「０」に設定される
　ことを特徴とする請求項１９に記載の変調方法。
　【請求項２１】　基本データ長がｍビットのデータを、基本符号長がｎビットの可変長符号（ｄ，ｋ；ｍ，ｎ；ｒ）に変換する変調装置用のプログラムであって、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、前記入力されたデータから検出する最小ラン連続制限コード検出ステップと、
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とするコンピュータが読み取り可能なプログラムが記録されている記録媒体。
　【請求項２２】　基本データ長がｍビットのデータを、基本符号長がｎビットの可変長符号（ｄ，ｋ；ｍ，ｎ；ｒ）に変換する変調装置を制御するコンピュータが実行可能なプログラムであって、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、前記入力されたデータから検出する最小ラン連続制限コード検出ステップと、
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とするプログラム。」
　とあったところを、
　
「【請求項１】　基本データ長がｍビットのデータを、基本符号長がｎビットの可変長符号（ｄ，ｋ；ｍ，ｎ；ｒ）に変換する変調装置において、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換手段と、
　前記変換テーブルの変換コードに含まれる、最小ランｄの連続を所定の回数以下に制限する最小ラン連続制限コードを、
前記変換手段により変換される前の
　前記最小ラン連続制限コード検出手段による検出結果に基づいて、前記変換手段により変換された前記符号語列の前記最小ラン連続制限コードに対応する部分を、前記最小ランの連続を所定の回数以下に制限する所定の符号語に置き換える連続最小ラン置換手段と
　を備えることを特徴とする変調装置。
　【請求項２】　前記変換手段は、前記入力されたデータから前記変換テーブルに含まれる所定のパターンを、拘束長が「１」の場合のパターンから順に拘束長毎に検索し、前記検索結果に基づいて前記入力されたデータを符号語に変換する
　ことを特徴とする請求項１に記載の変調装置。
　【請求項３】　前記変換手段は、拘束長が「１」乃至「３」の場合において変換されなかったデータに対して、さらに、前記変換テーブルに含まれる拘束長が「４」のパターンを検索し、前記検索の結果に基づいて前記入力されたデータを符号語に変換する
　ことを特徴とする請求項２に記載の変調装置。
　【請求項４】　前記連続最小ラン置換手段により前記最小ランの連続が所定の回数以下に制限された前記符号語列の任意の位置に、前記変換テーブルの変換コードとして存在しないユニークなパターンを含む同期信号を挿入する同期信号挿入手段と、
　前記同期信号挿入手段により前記同期信号が挿入された前記符号語列をNRZI変換し、記録符号列を作成するNRZI変換手段と
　をさらに備えることを特徴とする請求項１に記載の変調装置。
　【請求項５】　前記変換手段は、
　ｄ＝１、ｋ＝７、ｍ＝２、ｎ＝３の基礎コードを有する前記変換テーブルの変換コードに含まれる所定のパターンを、前記入力されたデータから検出する変換コード検出手段と、　前記変換テーブルの変換コードに含まれる、符号を任意の位置において終端させるための終端コードを、前記入力されたデータから検出する終端コード検出手段と、
　前記変換テーブルの変換コードに含まれ、直前または直後の符号語が「１」のとき「０」となり、「０」のとき「１」となる記号を＊とするとき、「０００」または「１０１」となる符号「＊０＊」を有する不確定符号を含む不確定コードを、前記入力されたデータから検出する不確定コード検出手段と、
　前記不確定コード検出手段により検出された前記不確定コードに含まれる前記不確定符号の＊に対応する符号を決定する不確定ビット決定手段と、
　前記変換コード検出手段、前記終端コード検出手段、および前記不確定コード検出手段の検出結果、並びに、前記不確定ビット決定手段による符号の決定結果に基づいて、利用する前記変換テーブルの前記変換コードを決定する変換パターン決定手段と
　を備えることを特徴とする請求項１に記載の変調装置。　
　【請求項６】　前記終端コード検出手段は、
　終端位置を特定するための情報を供給する終端位置カウンタを有し、
　前記入力されたデータから前記変換テーブルの変換コードに含まれる所定のパターンを検出し、前記終端位置カウンタにより供給される情報が終端位置を示すことにより、前記終端コードを検出したと判定する
　ことを特徴とする請求項５に記載の変調装置。
　【請求項７】　前記連続最小ラン置換手段により前記最小ランの連続が所定の回数以下に制限された前記符号語列の任意の位置に、前記変換テーブルの変換コードとして存在しないユニークなパターンを含む同期信号を挿入する同期信号挿入手段と、
　前記同期信号挿入手段により前記同期信号が挿入された前記符号語列をNRZI変換し、記録符号列を作成するNRZI変換手段と、
　をさらに備えることを特徴とする請求項５に記載の変調装置。
　【請求項８】　前記不確定コード検出手段は、前記変換パターン決定手段により決定された前記変換パターンの最終ビットの情報、および、前記同期信号挿入手段により挿入された前記同期信号のパターンの最終ビットの情報を取得し、
　前記不確定ビット決定手段は、前記不確定コード検出手段が取得した前記変換パターンの最終ビットの情報、および前記同期信号のパターンの最終ビットの情報に基づいて、前記不確定符号の＊に対応する符号を決定する
　ことを特徴とする請求項７に記載の変調装置。
　【請求項９】　前記変換パターン決定手段は、前記終端コードに基づいて、前記入力されたデータ列を変換する前記変換パターンを決定したか否かを判定し、
　前記同期信号挿入手段は、前記変換パターン決定手段による判定結果に基づいて、所定の処理が行われた前記同期信号を前記符号語列の任意の位置に挿入する
　ことを特徴とする請求項７に記載の変調装置。
　【請求項１０】　前記所定の処理において、前記同期信号の先頭ビットは、
　前記終端コードに基づいて前記変換パターンを決定したと前記変換パターン決定手段が判定した場合、「１」に設定され、
　前記終端コードに基づいて前記変換パターンを決定していないと前記変換パターン決定手段が判定した場合、「０」に設定される
　ことを特徴とする請求項９に記載の変調装置。
　【請求項１１】　基本データ長がｍビットのデータを、基本符号長がｎビットの可変長符号（ｄ，ｋ；ｍ，ｎ；ｒ）に変換する変調装置の変調方法において、
　データ列の要素内の「１」の個数を２で割った時の余りと、変換される符号語列の要素内の「１」の個数を２で割った時の余りが、どちらも１あるいは０で一致する様な変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、
前記変換ステップの処理により変換される前の
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とする変調方法。
　【請求項１２】　前記変換ステップの処理は、前記入力されたデータから前記変換テーブルに含まれる所定のパターンを、拘束長が「１」の場合のパターンから順に拘束長毎に検索し、前記検索結果に基づいて前記入力されたデータを符号語に変換する
　ことを特徴とする請求項１１に既済の変調方法。
　【請求項１３】　前記変換ステップの処理は、拘束長が「１」乃至「３」の場合において変換されなかったデータに対して、さらに、前記変換テーブルに含まれる拘束長が「４」のパターンを検索し、前記検索の結果に基づいて前記入力されたデータを符号語に変換する
　ことを特徴とする請求項１２に記載の変調方法。
　【請求項１４】　前記連続最小ラン置換ステップの処理により前記最小ランの連続が所定の回数以下に制限された前記符号語列の任意の位置に、前記変換テーブルの変換コードとして存在しないユニークなパターンを含む同期信号を挿入する同期信号挿入ステップと、
　前記同期信号挿入ステップの処理により前記同期信号が挿入された前記符号語列をNRZI変換し、記録符号列を作成するNRZI変換ステップと
　をさらに含むことを特徴とする請求項１１に記載の変調方法。
　【請求項１５】　前記変換ステップの処理は、
　ｄ＝１、ｋ＝７、ｍ＝２、ｎ＝３の基礎コードを有する前記変換テーブルの変換コードに含まれる所定のパターンを、前記入力されたデータから検出する変換コード検出ステップと、
　前記変換テーブルの変換コードに含まれる、符号を任意の位置において終端させるための終端コードを、前記入力されたデータから検出する終端コード検出ステップと、
　前記変換テーブルの変換コードに含まれ、直前または直後の符号語が「１」のとき「０」となり、「０」のとき「１」となる記号を＊とするとき、「０００」または「１０１」となる符号「＊０＊」を有する不確定符号を含む不確定コードを、前記入力されたデータから検出する不確定コード検出ステップと、
　前記不確定コード検出ステップの処理により検出された前記不確定コードに含まれる前記不確定符号の＊に対応する符号を決定する不確定ビット決定ステップと、
　前記変換コード検出ステップ、前記終端コード検出ステップ、および前記不確定コード検出ステップの処理の検出結果、並びに、前記不確定ビット決定ステップの処理による符号の決定結果に基づいて、利用する前記変換テーブルの前記変換コードを決定する変換パターン決定ステップと
　を含むことを特徴とする請求項１１に記載の変調方法。　
　【請求項１６】　前記終端コード検出ステップの処理は、前記入力されたデータから前記変換テーブルの変換コードに含まれる所定のパターンを検出し、終端位置を特定するための情報を供給する終端位置カウンタにより供給される情報が終端位置を示すことにより、前記終端コードを検出したと判定する
　ことを特徴とする請求項１５に記載の変調方法。
　【請求項１７】　前記連続最小ラン置換ステップの処理により前記最小ランの連続が所定の回数以下に制限された前記符号語列の任意の位置に、前記変換テーブルの変換コードとして存在しないユニークなパターンを含む同期信号を挿入する同期信号挿入ステップと、
　前記同期信号挿入ステップの処理により前記同期信号が挿入された前記符号語列をNRZI変換し、記録符号列を作成するNRZI変換ステップと
　をさらに含むことを特徴とする請求項１５に記載の変調方法。
　【請求項１８】　前記不確定コード検出ステップの処理は、前記変換パターン決定ステップの処理により決定された前記変換パターンの最終ビットの情報、および、前記同期信号挿入ステップの処理により挿入された前記同期信号のパターンの最終ビットの情報の取得を制御し、
　前記不確定ビット決定ステップの処理は、前記不確定コード検出ステップの処理により取得が制御された前記変換パターンの最終ビットの情報、および前記同期信号のパターンの最終ビットの情報に基づいて、前記不確定符号の＊に対応する符号を決定する
　ことを特徴とする請求項１７に記載の変調方法。
　【請求項１９】　前記変換パターン決定ステップの処理は、前記終端コードに基づいて、前記入力されたデータ列を変換する前記変換パターンを決定したか否かを判定し、
　前記同期信号挿入ステップの処理は、前記変換パターン決定ステップの処理による判定結果に基づいて、所定の処理が行われた前記同期信号を前記符号語列の任意の位置に挿入する
　ことを特徴とする請求項１７に記載の変調方法。
　【請求項２０】　前記所定の処理において、前記同期信号の先頭ビットは、
　前記終端コードに基づいて前記変換パターンを決定したと前記変換パターン決定手段が判定した場合、「１」に設定され、
　前記終端コードに基づいて前記変換パターンを決定していないと前記変換パターン決定手段が判定した場合、「０」に設定される
　ことを特徴とする請求項１９に記載の変調方法。
　【請求項２１】　基本データ長がｍビットのデータを、基本符号長がｎビットの可変長符号（ｄ，ｋ；ｍ，ｎ；ｒ）に変換する変調装置用のプログラムであって、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、
前記変換ステップの処理により変換される前の
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とするコンピュータが読み取り可能なプログラムが記録されている記録媒体。
　【請求項２２】　基本データ長がｍビットのデータを、基本符号長がｎビットの可変長符号（ｄ，ｋ；ｍ，ｎ；ｒ）に変換する変調装置を制御するコンピュータが実行可能なプログラムであって、
　データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する変換ステップと、
　前記変換テーブルの変換コードに含まれる、最小ランｄの連続を所定の回数以下に制限する最小ラン連続制限コードを、
前記変換ステップの処理により変換される前の
　前記最小ラン連続制限コード検出ステップの処理による検出結果に基づいて、前記変換ステップの処理により変換された前記符号語列の前記最小ラン連続制限コードに対応する部分を、前記最小ランの連続を所定の回数以下に制限する所定の符号語に置き換える連続最小ラン置換ステップと
　を含むことを特徴とするプログラム。」
　とするものである。
　
　上記本件補正の請求項１乃至２２は、本件補正前の請求項１乃至２２に、それぞれ対応するものである。
　本件補正についての請求項１乃至２２の具体的内容は、本件補正前の独立請求項である【請求項１】における「最小ラン連続制限コード検出手段」が検出する「入力されたデータ」について、「前記変換手段により変換される前の」と補正するものである。また、本件補正前の独立請求項である【請求項１１】【請求項２１】及び【請求項２２】における「最小ラン連続制限コード検出ステップ」が検出する「入力されたデータ」について、「前記変換ステップの処理により変換される前の」と補正するものである。いずれの補正も発明を特定するための事項を限定するものであるから、平成１８年改正前特許法第１７条の２第４項第２号に規定する特許請求の範囲の減縮を目的とするものに該当する。
　
　そこで、本件補正後の前記請求項１に係る発明（以下「本願補正発明」という。）が特許出願の際独立して特許を受けることができるものであるか（平成１８年改正前特許法第１７条の２第５項において準用する同法第１２６条第５項の規定に違反するか）否かについて、以下検討する。
　
２．引用例
　
　原査定の拒絶の理由に引用された、特開２０００−１４９４５７号公報（以下「引用例」という。）には、変調装置に関し、図面と共に、以下の記載がある。なお、下線は、当審で付与した。
　
（１）「【特許請求の範囲】
【請求項１】　
基本データ長がｍビットのデータを、基本符号長がｎビットの可変長符号（ｄ，ｋ；ｍ，ｎ；ｒ）に変換する変調装置において、入力されたデータを、変換テーブルに従って、符号に変換する変換手段を備え、前記変換手段の変換コードは、データ列の要素内の「１」の個数を２で割った時の余りと、変換される符号語列の要素内の「１」の個数を２で割った時の余りが、どちらも１または０で一致するような変換規則と、最小ランｄの連続を所定の回数以下に制限する第１の置き換えコードと、ラン長制限を守るための第２の置き換えコードと
前記第１の置き換えコードと前記第２の置き換えコードとは異なる基礎コード
【請求項２】〜【請求項１０】（省略）」
　
（２）「【０００１】
【発明の属する技術分野】本発明は
変調装置および方法、復調装置および方法、並びに提供媒体に関し
　
（３）「【００４７】表３の変換テーブルは、可変長構造を有しており、その基礎コードはｉ＝１乃至３まで持つ。また、表３の変換テーブルは、
最小ランｄの連続を制限する置き換えコードを持っているため、データ列が（１１０１１１）である場合、さらに直前と直後の符号語が参照される。直前の符号語が、”０”であり、かつ、後ろに続く符号語列が”０１０”であった時、このデータ列は、符号語”００１　０００　０００”に置き換えられる
　
（４）「【００５０】また、
表３の変換コードは、データ列の要素内の”１”の個数を２で割った時の余りと、変換された符号語列の要素内の”１”の個数を２で割った時の余りが、どちらも１あるいは０で同一（対応するいずれの要素も、”１”の個数が奇数または偶数）となるような変換規則を持っている
　
（５）「【００６４】表３乃至表５はそれぞれ独立であるから、これらを複合させたテーブルを構成させることが出来る。例えば、以下に示す表６は、表３と表４を組み合わせたものであり、拘束長の大きい変換である置き換えコードの発生回数を、さらに減らすことが出来るような変換コードを２つ持ったテーブルである。」
　
（６）「【００７３】図１は、上述した
変換テーブルを用いて変調処理を行う変調装置の構成を示すブロック図である。ここで、データ列が表６に従って、可変長符号（ｄ，ｋ；ｍ，ｎ；ｒ）＝（１，７；２，３；４）に変換される場合を例に挙げて説明する
【００７４】変調装置１に入力されたデータ列は、ＤＳＶ制御ビットである「１」あるいは「０」を決定し、任意の間隔で挿入するＤＳＶ制御ビット決定・挿入部１１に入力される。ＤＶＳビット決定・挿入部１１から出力されたデータは、変調部１２に入力され、変調処理が施されて、NRZI化部１３に出力される。NRZI化部は、入力されたデータを、記録符号列に変換する。タイミング管理部１４は、タイミング信号を生成し、各部に供給してタイミングを管理する。
【００７５】（省略）
【００７６】図３は、変調部１２の構成例を示すブロック図である。シフトレジスタ３１は、
データを２ビットずつシフトさせながら、拘束長判定部３２、置き換え制限を含む最小ラン連続制限コード検出部３３、置き換え制限を含むラン長制限補償コード検出部３４、および変換部３５−１乃至３５−４に出力する
このときシフトレジスタ３１は、各部が、その処理を行うのに必要なビット数を各部に供給する。
【００７７】拘束長判定部３２は、データの拘束長ｉを判定し、マルチプレクサ３６に出力するようになされている。
置き換え制限を含む最小ラン連続制限コード検出部３３は、最小ランの連続を制限する専用のコードを検出したとき、その拘束長を表す検出信号を拘束長判定部３２に出力する
【００７８】
置き換え制限を含む最小ラン連続制限コード検出部３３により専用のコードが検出されたとき
拘束長判定部３２は、対応する拘束長をマルチプレクサ３６に出力する
【００７９】
変換部３５−１乃至３５−４に出力は、内蔵されている変換テーブルを参照し、供給されたデータに対応する変換コードが登録されているか否かを判断し、登録されている場合は、そのデータを対応する符号語に変換した後、変換後の符号語をマルチプレクサ３６に出力するようになされている
【００８０】マルチプレクサ３６は、拘束長判定部３２より供給される拘束長ｉに対応する変換部３５−ｉ（ｉ＝１乃至４）が変換した符号を選択し、その符号を、シリアルデーアとして、バッファ３７を介して出力するようになされている。
【００８１】また各部の動作のタイミングは、タイミング管理部１４から供給されるタイミング信号に同期して管理されている。
【００８２】次に、変調器１２の動作について説明する。シフトレジスタ３１より、拘束長判定部３２、置き換え制限を含む最小ラン連続制限コード検出部３３、置き換え制限を含むラン長制限補償コード検出部３４，および各変換部３５−１乃至３５−４に、変調部１２に入力されたデータが３ビット単位で、それぞれの部が判定等に必要なビット数だけ供給される。
【００８３】拘束長判定部３２は、例えば表６に示す変換テーブルの基礎コード部分を内蔵しており、この変換テーブルを参照して、データの拘束長ｉを判定し、判定結果（拘束長ｉ）をマルチプレクサ３６に出力する。
【００８４】置き換え制限を含む最小ラン連続制限コード検出部３３は、表６に示す変換テーブルのうちの、最小ランの連続を制限する置き換えコード（表６の場合、データ（１１０１１１）と、直前の符号語”０”及び後ろに続く符号語”０１０”を参照して、変換する部分）を内蔵しており、この変換テーブルを参照して、最小ランの連続を制限するコードを検出したとき、拘束長ｉ＝３の検出信号を拘束長判定部３２に出力する。
【００８５】また、置き換え制限を含むラン長制限補償コード検出部３４は、表６に示す変換テーブル中の、最大ランを守る置き換えコード（表６の場合、データ（００００１０００−ｘ）および（００００００００−ｘ）、ｘ：（０１）又は（００１）を内蔵しており、この変換テーブルを参照して、最大ランを守る置き換えコードを検出したとき、拘束長ｉ＝４の検出信号を拘束長判定部３２に出力する。
【００８６】拘束長判定部３２、置き換え制限を含む最小ラン連続制限コード検出部３３から拘束長ｉ＝３の検出信号が入力された場合、その時、別の拘束長を判定していたとしても、その拘束長を選択せず、置き換え制限を含む最小ラン連続制限コード検出部３３の検出に対応する拘束長ｉ（表６の例の場合ｉ＝３）を選択し、マルチプレクサ３６に出力する。…」
　
　上記摘示事項及び図面の記載を参酌すると、引用例には、次の発明（以下「引用発明」という。）が記載されているものと認める。
　
「基本データ長がｍビットのデータを、基本符号長がｎビットの可変長符号（ｄ，ｋ；ｍ，ｎ；ｒ）に変換する変調装置において、
　入力されたデータを、変換テーブルに従って符号に変換する変換手段であって、
　前記変換テーブルの変換コードは、
　データ列の要素内の「１」の個数を２で割った時の余りと、変換された符号語列の要素内の「１」の個数を２で割った時の余りが、どちらも１あるいは０で同一となるような変換規則と、
　最小ランｄの連続を所定の回数以下に制限する置き換えコードと、　
　前記置き換えコードと異なる基礎コードと、
　を有する変換手段と、
　最小ランの連続を制限する置き換えコードを検出する最小ラン連続制限コード検出部と、
　最小ラン連続制限コード検出部により最小ランの連続を制限する置き換えコードを検出したとき、対応する拘束長をマルチプレクサに出力する拘束長判定部と
　を備え、
　変換テーブルを参照し、供給されたデータに対応する変換コードが登録されているか否かを判断し、登録されている場合は、そのデータを対応する符号語に変換した後、変換後の符号語をマルチプレクサに出力し、
　最小ランｄの連続を制限する（置き換えコード）のデータ列（１１０１１１）は、符号語”００１　０００　０００”（所定の符号語）に置き換えられる
　変調装置。」
　
３．対比
　
　そこで、本願補正発明と引用発明とを対比する。
　
（１）引用発明における「置き換えコード（最小ラン連続制限コード）」「符号語”００１００００００”（所定の符号語）」は、それぞれ本願補正発明の「最小ラン連続制限コード」「所定の符号語」に相当する。
（２）引用発明における「変換手段」は、「データ列の要素内の「１」の個数を２で割った時の余りと、変換された符号語列の要素内の「１」の個数を２で割った時の余りが、どちらも１あるいは０で同一となるような変換規則」を有するものであるから、本願補正発明の「データ列の要素内の「１」の個数を２で割った時の余りと、変換される符号語列の要素内の「１」の個数を２で割った時の余りが、どちらも１あるいは０で一致するような変換規則を有する変換コードを含む変換テーブルに従って、入力されたデータを符号語に変換する」「変換手段」に相当する。
（３）引用発明における「最小ラン連続制限コード検出部」は、入力されたデータに基づいて、「最小ランの連続を制限する置き換えコード」を検出するものであるから、本願補正発明の「前記変換テーブルの変換コードに含まれる、最小ランｄの連続を所定の回数以下に制限する最小ラン連続制限コードを、」「前記変換手段により変換される前の前記入力されたデータから検出する」「最小ラン連続制限コード検出手段」に相当する。
　なお、引用発明において、置き換えコード（最小ラン連続制限コード）が、変換手段により変換される前のデータから検出されることは明らかである。
（４）引用発明における変換テーブルは、最小ランｄの連続を制限する置き換えコード（最小ラン連続制限コード）のデータ列（１１０１１１）を符号語”００１　０００　０００”（所定の符号語）に置き換えるから、引用発明は、本願補正発明の「前記最小ラン連続制限コード検出手段による検出結果に基づいて、前記最小ランの連続を所定の回数以下に制限する所定の符号語に置き換える連続最小ラン置換手段」に相当する構成を備えている。
　
　そうすると、本願補正発明と引用発明とは、次の点で一致する。
　
＜一致点＞
「基本データ長がｍビットのデータを、基本符号長がｎビットの可変長符号（ｄ，ｋ；ｍ，ｎ；ｒ）に変換する変調装置において、
　データ列の要素内の「１」の個数を２で割った時の余りと、変換される符号語列の要素内の「１」の個数を２で割った時の余りが、どちらも１あるいは０で一致する様な変換規則を有する変換コードを含む変換テーブルに従って、入力されたデータを符号語に変換する変換手段と、
　前記変換テーブルの変換コードに含まれる、最小ランｄの連続を所定の回数以下に制限する最小ラン連続制限コードを、前記変換手段により変換される前の前記入力されたデータから検出する最小ラン連続制限コード検出手段と、
　前記最小ラン連続制限コード検出手段による検出結果に基づいて、前記最小ランの連続を所定の回数以下に制限する所定の符号語に置き換える連続最小ラン置換手段と
　を備える変調装置。」の点。
　
　そして、次の点で相違する。
＜相違点＞　
　「連続最小ラン置換手段」について、本願補正発明は、（前記最小ランの連続を所定の回数以下に制限する）「所定の符号語」に置き換えるのが「前記変換手段により変換された前記符号語列の前記最小ラン連続制限コードに対応する部分を、」であるのに対し、引用発明は、「変換テーブル」に「置き換えコード（最小ラン連続制限コード）」を有するとしているもので、上記のような置換手段でない点。
　
４．判断
　
　そこで、上記相違点について検討する。
　
　引用発明と本願補正発明とは、共に最小ラン連続制限コード（置き換えコード）を所定の符号語（符号語”００１　０００　０００”）に置き換えるものである。
　一方、基本データ長がｍビットのデータを基本符号長がｎビットの可変長符号（ｄ，ｋ；ｍ，ｎ；ｒ）に変換する変調装置において、可変長符号変換後の最小ランｄが所定の回数以上連続する符号列を所定の符号列に変換する技術思想は、原審の拒絶査定で例示された特開平１１−１４５８４１号公報に記載されている。
　そうすると、引用発明においても、置き換えコードを変換テーブルとして備える構成に変えて、可変長符号変換後の符号列を所定の符号語（”００１　０００　０００”）に置き換える構成として、本願補正発明の相違点のように構成することは、当業者が容易に想到できるものである。
　
　そして、本願補正発明が奏する効果は引用発明から、当業者が十分に予測できたものであって、格別なものとはいえない。
　
　なお、審判請求人は、審判請求の理由で「従って、請求項１に記載の本願発明は、出願当初の明細書中の番号［０１１３」の段落に記載されているように、「置換えに際して、『新たにレジスタを追加する必要は無く』、簡単な構成で実現できる」。また、出願当初の明細書中の番号［０１２７］の段落に記載されているように、「最小ラン連続制限コード検出部３３、および連続最小ラン置換部３４をパターン変換部３２と別に構成することにより、様々な仕様の他システムへの応用を容易に行うことができる」。さらに付言すれば、請求項１に記載の本発明は、出願当初の明細書中の番号［０１２８］の段落に記載されているように、「例えば、最小ランの連続を制限しなくてもよいシステムに応用する場合、最小ラン連続制限コード検出部３３への接続を切断するだけで、変調装置３０を適用することができる」。…（中省略）…そもそも、引用文献１および引用文献２には、「他システムへの応用」という概念は、記載も示唆もされておらず、「最小ランの連続を制限しなくてもよいシステムに応用する場合、最小ラン連続制限コード検出部３３への接続を切断する」といったことはできません。」旨主張しているが、本願補正発明には、「他システムへの応用」を特定する事項（「最小ラン連続制限コード検出部３３への接続を遮断する手段」等）は記載されておらず、審判請求人の上記主張は、本願補正発明に基づくものではないので採用することはできない。
　
　したがって、本願補正発明は、引用発明に基づいて、当業者が容易に発明をすることができたものであるから、特許法第２９条第２項の規定により特許出願の際独立して特許を受けることができない。
　
５．本件補正についてのむすび
　
　以上のとおり、本件補正は、平成１８年改正前特許法第１７条の２第５項で準用する同法第１２６条第５項の規定に違反するものであるから、特許法第１５９条第１項の規定において読み替えて準用する特許法第５３条第１項の規定により却下されるべきものである。
　
第３　本願発明について
　
１．本願発明
　
　平成１８年４月１２日付けの手続補正は上記のとおり却下されたので、本願の請求項１係る発明（以下「本願発明」という。）は、平成１７年９月３０日付け手続補正で補正された明細書の特許請求の範囲の請求項１に記載された事項により特定される、前記「第２［理由］１．」の補正前の「請求項１」として記載したとおりである。
　
２．引用例
　
　原査定の拒絶の理由に引用された、引用例の記載事項は、上記「第２［理由］２．」に示したとおりである。
　
３．対比・判断
　
　本願発明は、上記「第２」で検討した本願補正発明から「前記入力されたデータ」について、「前記変換手段により変換される前の」との構成を省略したものである。
　そうすると、本願発明の構成要件を全て含み、さらに他の構成要件を付加したものに相当する本願補正発明が、上記「第２」に記載したとおり、引用例に記載された発明に基づいて、当業者が容易に発明をすることができたものであるから、本願発明も、同様の理由により、引用例に記載された発明に基づいて、当業者が容易に発明をすることができたものである。
　
４．むすび
　
　以上のとおり、本願の請求項１に係る発明は、引用例に記載された発明に基づいて、当業者が容易に発明をすることがであるから、特許法第２９条第２項の規定により特許を受けることができない。
　
　したがって、本願は、その余の請求項について論及するまでもなく拒絶すべきものである。
　
　よって、結論のとおり審決する。